【事件の表示】
　特許第５９２６８３２号発明「双方向メディアガイダンスアプリケーションにチャンネルグループを提供するためのシステムおよび方法」の特許異議申立事件について、次のとおり決定する。
【結　論】
　特許第５９２６８３２号の請求項１ないし２６に係る特許を維持する。
【理　由】
１．手続の経緯
　特許第５９２６８３２号（以下、「本件特許」という。）の請求項１ないし２６に係る特許についての出願は、２００６年（平成１８年）年１２月８日（パリ条約による優先権主張外国庁受理２００５年１２月２９日、米国）を国際出願日とする出願である特願２００８−５４８５４２号の一部を、数次の分割を経て平成２７年３月４日に新たな特許出願としたものであって、平成２８年４月２８日にその特許権の設定登録がされ（特許公報発行日　平成２８年５月２５日）、その後、その特許について、平成２８年１１月２５日に特許異議申立人松田純一により請求項１ないし２６に対して特許異議の申立てがされたものである。
２．本件発明
　本件特許の請求項１ないし２６に係る発明は、それぞれ、その特許請求の範囲の請求項１ないし２６に記載された事項により特定される次のとおりのものである（以下、各請求項の項番にしたがい「本件発明１」ないし「本件発明２６」という。）。
　　【請求項１】
　双方向メディアガイダンスアプリケーションにおいて複数のグループのメディアを提供する方法であって、前記方法は、
　プロセッサが、メディア項目の１以上のユーザ選択を受信することと、
　前記ユーザ選択されたメディア項目を含むメディアグループを定義することと、
　双方向要素を前記定義されたメディアグループに関連付けることと、
　複数の行を含むメディア項目グリッドを表示のために生成することであって、前記複数の行は、複数のメディア項目を含む、ことと
　を含み、
　第１の行は、メディア供給源に関連付けられ、かつ、前記メディア供給源から利用可能なメディアアセットの項目を含み、
　第２の行は、前記定義されたメディアグループに関連付けられ、かつ、前記双方向要素を含む、方法。
　　【請求項２】
　メディアグループを定義することは、前記メディア項目の１以上のユーザ選択のリストを受信することを含む、請求項１に記載の方法。
　　【請求項３】
　前記メディア項目の１以上のユーザ選択を受信することは、少なくとも１つの共通の特性を共有するメディア項目のリストを受信することを含む、請求項２に記載の方法。
　　【請求項４】
　前記メディアグループに対するユーザ修正を受信することをさらに含む、請求項１に記載の方法。
　　【請求項５】
　対応するメディア項目のユーザ選択に応答して、メディア番組に対するアクセスを提供することをさらに含む、請求項１に記載の方法。
　　【請求項６】
　前記メディアグループに関する情報を提供することをさらに含み、前記情報は、前記メディアグループのメディア項目を提供すること、前記メディアグループのオンデマンドメディア番組のリストを提供すること、前記メディアグループのリマインダのリストを提供すること、前記メディアグループの保留中の記録のリストを提供すること、前記メディアグループの記録された番組のリストを提供すること、前記メディアグループの購入された番組のリストを提供すること、前記メディアグループの以前にアクセスされた番組の視聴履歴を提供することのうちの少なくとも１つを含む、請求項１に記載の方法。
　　【請求項７】
　前記メディアグループの視聴履歴を提供することは、所与の時間内に前記メディアグループを介してユーザによってアクセスされたメディア番組のリストをトラッキングすることを含む、請求項６に記載の方法。
　　【請求項８】
　前記メディアグループに関する情報を提供することをさらに含み、前記情報は、前記メディアグループからのオンデマンドメディア番組、前記メディアグループからの記録されたメディア番組、前記メディアグループからの購入されたメディア番組、前記メディアグループの以前にアクセスされたメディア番組のうちの少なくとも１つのプレビューを含む、請求項１に記載の方法。
　　【請求項９】
　プレビューを提供することは、番組の縮小されたスケールの映像を表示することを含む、請求項８に記載の方法。
　　【請求項１０】
　前記メディアグループに関する情報に対するアクセスと前記メディアグループに対して実行可能な機能とを提供するメディアグループポータル画面を提供することをさらに含む、請求項１に記載の方法。
　　【請求項１１】
　前記メディアグループに関する前記情報に対するアクセスを提供することは、前記メディアグループを宣伝するビデオクリップ、前記複数のメディア項目のうちの１つに関連付けられたメディア番組を宣伝するビデオクリップ、前記複数のメディア項目のリスト、前記メディアグループを介してアクセス可能なメディア番組に関する宣伝情報、前記複数のメディア項目のうちの１つに関連付けられたメディア番組からのライブフィード、前記メディアグループのメディア項目、前記メディアグループに対して実行可能な機能のリストのうちの少なくとも１つを前記メディアグループポータル画面上に表示することを含む、請求項１０に記載の方法。
　　【請求項１２】
　前記メディアグループに関する前記情報に対するアクセスを提供することは、前記メディアグループの視聴履歴、前記メディアグループのリマインダのリスト、前記メディアグループの保留中の記録のリスト、前記メディアグループの完成された記録のリスト、前記メディアグループの購入された番組のリスト、前記メディアグループのオンデマンドメディア項目のうちの少なくとも１つに対する前記メディアグループポータル画面上でのアクセスを提供することを含む、請求項１０に記載の方法。
　　【請求項１３】
　前記メディア項目の１以上のユーザ選択は、チャンネルの１以上のユーザ選択である、請求項１に記載の方法。
　　【請求項１４】
　複数のグループのメディアを提供する双方向メディアガイダンスシステムであって、前記双方向メディアガイダンスシステムは、
　メディア項目の１以上のユーザ選択を受信する手段と、
　前記ユーザ選択されたメディア項目を含むメディアグループを定義する手段と、
　双方向要素を前記定義されたメディアグループに関連付ける手段と、
　複数の行を含むメディア項目グリッドを表示のために生成する手段であって、前記複数の行は、複数のメディア項目を含む、手段と
　を含み、
　第１の行は、メディア供給源に関連付けられ、かつ、前記メディア供給源から利用可能なメディアアセットの項目を含み、
　第２の行は、前記定義されたメディアグループに関連付けられ、かつ、前記双方向要素を含む、双方向メディアガイダンスシステム。
　　【請求項１５】
　前記メディアグループを定義する手段は、前記メディア項目の１以上のユーザ選択のリストを受信する手段をさらに含む、請求項１４に記載のシステム。
　　【請求項１６】
　前記リストに対するユーザ修正を受信する手段をさらに含む、請求項１５に記載のシステム。
　　【請求項１７】
　前記メディア項目の１以上のユーザ選択のリストを受信する手段は、少なくとも１つの共通の特性を共有するメディア項目のリストを受信する手段を含む、請求項１５に記載のシステム。
　　【請求項１８】
　対応するメディア項目のユーザ選択に応答して、メディア番組に対するアクセスを提供する手段をさらに含む、請求項１４に記載のシステム。
　　【請求項１９】
　前記メディアグループに関する情報を提供する手段をさらに含み、前記情報は、前記メディアグループのメディア項目、前記メディアグループのオンデマンドメディア番組のリスト、前記メディアグループのリマインダのリスト、前記メディアグループの保留中の記録のリスト、前記メディアグループの記録された番組のリスト、前記メディアグループの購入された番組のリスト、前記メディアグループの以前にアクセスされた番組の視聴履歴のうちの少なくとも１つを含む、請求項１４に記載のシステム。
　　【請求項２０】
　前記メディアグループの視聴履歴を提供する手段は、所与の時間内に前記メディアグループを介してユーザによってアクセスされたメディア番組のリストをトラッキングする手段を含む、請求項１９に記載のシステム。
　　【請求項２１】
　前記メディアグループに関する情報を提供する手段をさらに含み、前記情報は、前記メディアグループからのオンデマンドメディア番組、前記メディアグループからの記録されたメディア番組、前記メディアグループからの購入されたメディア番組、前記メディアグループの以前にアクセスされたメディア番組のうちの少なくとも１つのプレビューを含む、請求項１４に記載のシステム。
　　【請求項２２】
　プレビューを提供する手段は、番組の縮小されたスケールの映像を表示のために生成する手段をさらに含む、請求項２１に記載のシステム。
　　【請求項２３】
　前記メディアグループに関する情報に対するアクセスと前記メディアグループに対して実行可能な機能とを提供するメディアグループポータル画面を提供する手段をさらに含む、請求項１４に記載のシステム。
　　【請求項２４】
　前記メディアグループに関する前記情報に対するアクセスを提供する手段は、前記メディアグループを宣伝するビデオクリップ、前記複数のメディア項目のうちの１つに関連付けられた番組を宣伝するビデオクリップ、前記メディアグループを介してアクセス可能なメディア番組に関する宣伝情報、前記複数のメディア項目の１以上のユーザ選択のうちの１つに関連付けられたメディア番組からのライブフィード、前記メディアグループのメディア項目、前記メディアグループに対して実行可能な機能のリストのうちの少なくとも１つを前記メディアグループポータル画面上に表示のために生成する手段を含む、請求項２３に記載のシステム。
　　【請求項２５】
　前記メディアグループに関する前記情報に対するアクセスを提供する手段は、前記メディアグループの視聴履歴、前記メディアグループのリマインダのリスト、前記メディアグループの保留中の記録のリスト、前記メディアグループの完成された記録のリスト、前記メディアグループの購入された番組のリスト、前記メディアグループのオンデマンドメディア項目のうちの少なくとも１つに対する前記メディアグループポータル画面上でのアクセスを提供する手段を含む、請求項２４に記載のシステム。
　　【請求項２６】
　前記メディア項目の１以上のユーザ選択は、１以上のチャンネルのユーザ選択である、請求項１４に記載のシステム。
３．申立理由の概要
　特許異議申立人松田純一は、主たる証拠として特表平１１−５０８１０７号公報（以下「刊行物１」という。）、従たる証拠として特開２００４−２０８３３２号公報（以下「刊行物２」という。）、特開２００４−１３５２９７号公報（以下「刊行物３」という。）及び周知例として広辞苑第六版９６５頁（以下「刊行物４」という。）、特開平７−２０３４１１号公報（以下「刊行物５」という。）を提示し、請求項１ないし３，１３，１４，１５，１７，２６に係る特許は特許法第２９条第１項第３号又は同条第２項の規定に違反してされたものであり、請求項４ないし１２，１６，１８ないし２５に係る特許は特許法第２９条第２項の規定に違反してされたものであるから、請求項１ないし２６に係る特許を取り消すべきものである旨主張している。
４．刊行物の記載
（１）刊行物１
ａ．刊行物１の記載事項
　刊行物１には、図面と共に次に掲げる事項が記載されている。なお、下線は強調のために当審で付したものである。
（ａ）「［発明の要約］
　本発明は前述の必要性を満たすプログラムガイドを提供する。特に、本発明はナビゲーションメニューを与えるプログラムガイドを提供し、それによって視聴者はプログラムガイドの先に選択した事物またはメニューを可視的に参照することが可能になる。
　
本発明はスクリーン上のテレビジョンプログラムガイドを発生する装置に関する。この装置は、プログラムソース情報および複数のプログラムソースに対するプログラムイベント情報を含んでいるプログラムガイドの主メニューを発生する手段と、視聴者がプログラムガイドを変更することを可能にするためのナビゲーションメニューを発生する手段とを具備する。ナビゲーションメニューはプログラムガイドの主メニューの一部分のみを重ね書きすることにより生成される。
　本発明の第２の実施形態では、この装置はプログラムソース情報および複数のプログラムソースに対するプログラムイベント情報を含んでいる信号を受信する手段を具備している。プログラムイベント情報は複数の分類タグを含み、各プログラムイベントは少なくとも１つの対応する分類タグを有する。装置はさらに、プログラムソース情報とプログラムイベント情報を記憶するメモリ手段と、それぞれが複数の分類タグの１つに対応する予め定められたボタンを有するユーザ入力手段と、メモリ手段とユーザ入力手段に結合されたシステム制御装置とを具備している。
システム制御装置は、ユーザ入力手段の予め定められたボタンの１つを押すのに応答してカテゴリーの特定されたスクリーン上のテレビジョンプログラムガイドを発生させるように動作する。
（ｂ）「［好ましい実施例の詳細な説明］
　図１は本発明の端末装置10の１実施形態の機能ブロック図である。図１で示されているように、
端末装置10は、チューナ12と復調器13とＦＥＣデコーダ14とを具備している受信手段を含んでいる。この受信手段はマイクロプロセッサ15により制御され、プログラムガイド情報および所定のシステムで利用可能な全てのチャンネルのビデオおよびオーディオ情報を含んでいる信号を受信するように動作する。
（ｃ）「　
このようにして、チューナ12がどのトランスポンダに同調されるかに関係なく、プログラムガイドはチャンネルデマルチプレクサ16の出力で利用可能である。マイクロプロセッサ15の制御下で、プログラムガイドはランダムアクセスメモリ（“ＲＡＭ”）20に記憶され、このＲＡＭはチャンネルデマルチプレクサ16に結合されている。
（ｄ）「　
フロントパネル30または遠隔制御装置（図示せず）によりプログラムガイドに関する予め定められたチャンネルを選択することによって、加入者がプログラムガイドを表示するように選択した場合、マイクロプロセッサ15はシステムＲＡＭ20からプログラムガイドを検索し、
マイクロプロセッサ15はメモリ20に記憶されたプログラムガイドを表示可能なフォントデータへ変換する。
　図２は本発明にしたがって製造されたプログラムガイドの１例を示している。
図２で示されているように、プログラムガイドの各スクリーンは約７つのプログラムソースと、対応するプログラムを具備している。ここで示されているプログラムソースとプログラムは長さが変化する多数の区画に含む１つの行に表示される。各行の第１の区画はプログラムソースと、そのソースに関連するチャンネル番号を示している。
　
本発明によると、装置10はプログラムガイドを“ユーザのニーズに適合”させるナビゲーションメニューを生成する。ナビゲーションメニューは、ドロップダウンメニューとして現れる。特に、図２および図３ａを参照すると、プログラムガイドをユーザのニーズに適合させる場合、視聴者は最初に主メニュー上に認められるカテゴリーボタンを強調するようにカーソルを操作する。その後、視聴者は、可能なカテゴリーのリストを生成して表示するようにマイクロプロセッサ15に指令する例えば選択キー等の指定された制御キーを押す。マイクロプロセッサ15は、カテゴリーリストが主メニュー上のカテゴリーボタンから中断されたナビゲーションメニュー44として現れるようにこのカテゴリーリストを生成する。
　
ナビゲーションメニュー44は種々の方法で生成できるが、このような方法の１つは、プログラムガイドを表示可能なフォントデータに変換する前に、主プログラムガイドを表すデータの一部分を書換えるようにマイクロプロセッサ15に指令することを必要とする。プログラムガイドの書換えられた部分は、表示されることとなるナビゲーションメニュー44に対応している。
（ｅ）「　本発明の別の実施形態において、ＩＲリモコン40は、予め定められたキーを備えており、このキーは、押されたときに、ガイドをユーザのニーズに適合させるように機能する。
さらに詳しく説明すると、ＩＲリモコン40は、例えば“ニュース”キー、“スポーツ”キー、および“映画”キーを設けられることができる。これらのキーの任意の１つが押されると、マイクロプロセッサ15は、選択されたカテゴリーに対応したプログラムガイドエントリだけを検索するように機能する。したがって、視聴者が“スポーツ”キーを押した場合、マイクロプロセッサ15は、スポーツ関連のイベントだけを含むプログラムガイドを生成し、これを表示するように機能する。
　
関連イベントの検索に関して、ＩＲリモコン40上の予め定められたキーが押された際、マイクロプロセッサ15に送られる命令には、分類タグ（例えば、ニュース、スポーツ、映画等）が含まれており、このタグが、ＲＡＭ20に記憶されている完全なプログラムガイド情報から検索されるべきイベントを識別する。その後、マイクロプロセッサ15は、完全なプログラムガイドをサーチして、視聴者が選択したこの分類タグに一致する分類タグを有する各イベントを識別する。（システムプロバイダによって送られたプログラムガイド情報は、各イベントに対して別々の分類タグを含んでいる。）関連イベント情報は、一度識別されると、上述のように検索されて、表示可能なフォントデータに変換され、表示される。
ｂ．刊行物１に記載される発明
（ａ）上記ａ．（ａ）によれば、刊行物１には、テレビジョンプログラムガイドを発生する装置に関する発明が記載されており、より詳細には、プログラムガイドの主メニューと、視聴者がプログラムガイドを変更することを可能にするためのナビゲーションメニューを発生する装置に関する発明が記載されている。
　そして、上記ａ．（ｂ）によれば、上記装置はマイクロプロセッサにより制御される端末装置であり、上記ａ．（ｃ），（ｄ）によれば、マイクロプロセッサの制御によりプログラムガイドが表示される。
　すなわち、刊行物１には、『端末装置において、マイクロプロセッサの制御によりプログラムガイドを表示する方法』に関する発明が記載されており、プログラムガイドを表示する方法は『プログラムガイドの主メニューと、視聴者がプログラムガイドを変更することを可能にするためのナビゲーションメニューを表示する』ものであることが記載されているといえる。
（ｂ）上記ａ．（ｄ）及び図２，図３（ａ）によれば、プログラムガイドの主メニューは、プログラムソースと、そのプログラムソースに対応するプログラムを示す多数の区画を含む複数の行からなり、各行の第１の区画はプログラムソースとそのソースに関連するチャンネル番号を示す。
　また、主メニュー上のカテゴリーボタンをカーソルにより選択すると、ナビゲーションメニューがドロップダウンメニューとして現れて表示され、ナビゲーションメニューは、ニュース、スポーツ、映画等のカテゴリーのリストを表示するものであり、プログラムガイドの主メニューの一部分を書換えた部分である。
（ｃ）上記ａ．（ｅ）及び図３（ａ）によれば、ＩＲリモコンに、“ニュース”キー、“スポーツ”キー、“映画”キー等が設けられており、これらのキーの任意の１つが押されると、マイクロプロセッサは、選択されたカテゴリーに対応したプログラムガイドエントリだけを検索し、選択されたカテゴリーに対応したイベントだけを含むプログラムガイドを生成して表示する。
（ｄ）上記（ａ）ないし（ｃ）をまとめると、刊行物１には次の発明（以下「刊行物１発明」という。）が記載されている。
（刊行物１発明）
（ａ）端末装置において、マイクロプロセッサの制御によりプログラムガイドを表示する方法であって、前記方法は、
（ｂ）プログラムガイドの主メニューと、視聴者がプログラムガイドを変更することを可能にするためのナビゲーションメニューを表示し、
（ｃ）プログラムガイドの主メニューは、プログラムソースと、そのプログラムソースに対応するプログラムを示す多数の区画を含む複数の行からなり、各行の第１の区画はプログラムソースとそのソースに関連するチャンネル番号を示し、
（ｄ）主メニュー上のカテゴリーボタンをカーソルにより選択すると、ナビゲーションメニューがドロップダウンメニューとして現れて表示され、ナビゲーションメニューは、ニュース、スポーツ、映画等のカテゴリーのリストを表示するものであり、プログラムガイドの主メニューの一部分を書換えた部分であり、
（ｅ）ＩＲリモコンに、“ニュース”キー、“スポーツ”キー、“映画”キー等が設けられており、これらのキーの任意の１つが押されると、マイクロプロセッサは、選択されたカテゴリーに対応したプログラムガイドエントリだけを検索し、選択されたカテゴリーに対応したイベントだけを含むプログラムガイドを生成して表示する
（ａ’）方法。
　なお、（ａ）ないし（ｅ）刊行物１発明の各構成の符号は、説明のために付したものであり、以下、「構成（ａ）」等として引用する。
（２）刊行物２
ａ．刊行物２の記載事項
　刊行物２には、図面と共に次に掲げる事項が記載されている。なお、下線は強調のために当審で付したものである。
【０００２】
　ケーブルテレビシステム、衛星テレビシステム、および放送テレビシステムは、視聴者に多数のテレビチャンネルを提供する。視聴者は従来から、特定の時間に放送される番組を決定するために、印刷されたテレビ番組予定を参照してきた。
より最近では、ユーザのテレビにテレビ番組情報を表示することを可能にする双方向テレビ番組ガイドが開発されている。双方向テレビ番組ガイドは、ユーザがリモコンを用いてテレビ番組ガイドをナビゲートすることを可能にする。典型的な番組ガイドでは、様々な種類のテレビ番組リスト項目が、所定のカテゴリまたはユーザの規定するカテゴリ内で表示される。リスト項目は典型的には、リスト、グリッド、または表に表示される。
【００１８】
　
双方向テレビ番組ガイドは、双方向番組ガイドテレビ機器１７上で実現される。
双方向番組ガイドテレビ機器１７は、番組ガイド配信設備１６に構成された番組ガイド配信機器２１と、ユーザテレビ機器２２とを含み得る。
【００３１】
　図２ａ、図２ｂ、図２ｃ、図２ｄ、および図２ｅの
リモートメディアサーバ２４は、番組、番組ガイドデータ、またはこれらのあらゆる適切な組み合せを録画し、番組ガイドにより生成されるリクエストに応答して、両者のうち一方または両方をユーザテレビ機器２２へと供給する。
【００７３】
　
ユーザが（例えば、リモコン４０上の「メニュー」キーを用いて）双方向テレビ番組ガイドにアクセスしたい旨を知らせると、番組ガイドは、適切な番組ガイド表示画面を生成して、表示デバイス４５上に表示する。図１０の例示的メインメニュー画面１００のようなメインメニュー画面を生成することができ、この画面は、ユーザに様々な番組ガイド機能へのアクセスを提供する。
【００７４】
　
図１０の例示的メインメニュー画面１００は、選択可能な番組ガイド機能１０６のメニュー１０２を含む。所望ならば、選択可能な機能１０６は、機能の種類別に分けてもよい。メニュー１０２では例えば、番組ガイドオプション１０６は３つの縦列に分かれている。「ＴＶガイド」という名前の列は、リスト項目に関連する機能用の列であり、「ＭＳＯショーケース」という名前の列は、複数のシステムオペレータ（ＭＳＯ）に関連する機能用の列であり、「視聴者サービス」という名前の列は、視聴者に関連する機能用の列である。ユーザが、メニュー１０２から上記の機能を選択すると、双方向テレビ番組ガイドは、特定の番組ガイド機能についての表示画面を生成し得る。
【００７７】
　
双方向テレビ番組ガイドの１つの機能は、ユーザにテレビ番組リスト項目を見る機会を与えることであり得る。ユーザは、例えば強調表示領域１２０を番組リスト項目（例えば、「映画」オプション）に関連する所望の番組ガイドオプション上に位置決めすることにより、番組リスト項目を見たい旨を知らせることができる。
ユーザがテレビ番組リスト項目を見たい旨を知らせると、番組ガイドは、番組ガイド配信設備１６により提供されるデータストリームから、サーバ２５から、またはメモリ６３から番組リスト項目データを入手し、適切な番組リスト項目を生成してモニタ４５上に表示することができる。番組リスト項目画面は、１つ以上の分類基準（例えば、番組カテゴリなど）に従って分類された番組リスト項目のグループまたはリストを１つ以上含み得る。
【００７８】
　番組リスト項目画面は、ユーザが視聴している番組の全体または一部にオーバーレイされ得る。
リスト項目もオーバーレイされ得、そうでない場合は、「ブラウズ」モードの番組と同じ画面上に配置され得る。番組ガイドは、例えば、複数のカテゴリ（例えば、映画、スポーツ、子供向けなど）に応じて、時間別、チャンネル別のリスト項目を見る機会をユーザに与えることができ、または、ユーザがタイトル別のリスト項目を検索することを可能にする。番組リスト項目は、任意の適切なリスト、表、グリッド、または他の適切な表示構成を用いて提示され得る。
【００７９】
　
ユーザは、例えばメニュー１０２から選択可能な機能を選択することにより、時間別、チャンネル別、またはカテゴリ別の番組リスト項目を見たい旨を示し得る。それに応答して、番組ガイドは、番組リスト項目を適切なリスト項目表示画面で示すことができる。図１１ａ、図１１ｂ、および図１１ｃは、時間別、チャンネル別、およびカテゴリ別の番組リスト項目をそれぞれ表示したものを示す。図１１ａ、図１１ｂ、および図１１ｃの番組リスト項目表示画面１３０、１３５、および１４０は、現在の番組リスト項目１５０を強調表示する強調表示領域１５１を含むことができる。
【００８０】
　番組ガイドは、他の時間またはチャンネルについての番組リスト項目を見る機会をユーザに与えることができる。ユーザは、例えば（図１１ａに示すように番組リスト項目が時間別に提示されている場合に）左右矢印キーを用いて時間枠を変更するか、または（図１１ｂに示すように番組リスト項目がチャンネル別に提示されている場合に）チャンネルを変えることにより、他の時間またはチャンネルについてのリスト項目にアクセスしたい旨を知らせることができる。このような知らせに応答して、番組ガイドは、例えば番組リスト項目をスクロールまたはページ表示（ｐａｇｅ）して、さらなる番組リスト項目を表示することができる。
【００８１】
　
また、図１１ａ、図１１ｂ、および図１１ｃの番組リスト項目画面は、リモートメディアサーバ２４またはローカルメディアサーバ２９により録画されたかまたは録画希望番組として選択された番組のリスト項目も含むことができる。
【０１０１】
　番組ガイドは、ユーザ用にリモートメディアサーバ２４またはローカルメディアサーバ２９に録画されている番組のディレクトリまたは他のそのような番組リストにアクセスする機会をユーザに与えることができる。
ユーザは、例えばリモコン４０上の「ディレクトリ」キーを押したりまたはメインメニュー１０７から「ディレクトリ」機能を選択したりすることにより、録画済み番組のディレクトリまたは録画済み番組リストにアクセスしたい旨を知らせることができる。
【０１０２】
　
録画済み番組についての番組リスト項目は、チャンネル別、テーマ別、ユーザ別、または他の任意の適切な基準に従って分類され得る。実際に、録画済み番組についての番組リスト項目は、オーバーレイが表示される表示画面の種類に基づき、オーバーレイとして表示され得る。例えば、図１８ｂの場合、オーバーレイの下の表示画面が番組リスト項目を時間別に表示しているため、リスト項目は時間別に表示されている。図１８ｃでは、オーバーレイの下の表示画面が映画のリスト項目のみを表示しているため、映画のカテゴリに属する録画済み番組のリスト項目を示している。
【０１０３】
　
図１８ｄは、ユーザがリモートメディアサーバ２４またはローカルメディアサーバ２９に録画した番組のディレクトリを見たい旨を知らせたときに、番組ガイドが表示することのできる例示的なディレクトリ画面３５０を示す。ディレクトリ画面３５０は、オーバーレイ３２０が表示するような番組関連情報を表示することができる。
【０１０４】
　
別の適切なアプローチにおいて、ユーザが例えばリモコン４０上の「ディレクトリ」キーを押したりまたはメインメニュー１０２から「ディレクトリ」機能を選択すると、番組ガイドはディレクトリメニューを表示し得る。図１８ｅは、例示的なディレクトリメニュー画面３７０を示す。ディレクトリメニュー画面３７０は、図１８ｄに示すようなものだが、種々の方法でソートされた録画済み番組のディレクトリを見る機会をユーザに与えることができる。例えば、ユーザが「時間別」機能３７１を選択すると、番組ガイドは、番組が録画された日付および時間に従って録画済み番組を並び替えたディレクトリを表示することができる。例えば、ユーザが「映画」機能３７３、「スポーツ」機能３７５、「子供向け」機能３７７、または「成人向け」機能３７９を選択すると、番組ガイドは、映画、スポーツ、子供向け番組、または成人向け番組についての録画済み番組ディレクトリをそれぞれ表示し得る。リストしたカテゴリについては、予め決められていてもよいし、またはユーザが録画した映画に基づいてもよい。
ｂ．刊行物２に記載される技術
　刊行物２の段落【０００２】，【００１８】，【００３１】によれば、刊行物２には、『ユーザのテレビ機器にグリッドに表示される双方向テレビ番組ガイド』の技術が記載されており、段落【００７３】，【００７４】，【００７７】ないし【００８１】，【０１０１】ないし【０１０４】，及び図１１ｂ，図１８ｄによれば、『選択可能な番組ガイドオプションを有する双方向テレビ番組ガイドのメインメニュー画面を表示し、ユーザが番組ガイドオプションのうちの番組カテゴリなどに従って分類された番組リスト項目のグループを選択すると、番組リスト項目データを入手して適切な番組リスト項目画面を表示し、番組リスト項目画面は、番組リスト項目のグループの番組カテゴリ（コメディ、映画など）を上部に表示し、そのグループに含まれる番組リスト項目を番組カテゴリの下部に表示する』技術が記載されている。
（３）刊行物３
ａ．刊行物３の記載事項
　刊行物３には、図面と共に次に掲げる事項が記載されている。なお、下線は強調のために当審で付したものである。
【０００３】
　
双方向テレビ番組ガイドは、ユーザがリモコンを用いてテレビ番組リスト項目をナビゲートすることを可能にする。典型的な番組ガイド表示の場合、テレビリスト項目は、複数の分類基準に従ってリスト項目の一部に分類され、様々な様式で選別される。１つのアプローチとして、番組リスト項目を番組リスト項目グリッドに分類する様式がある。グリッド内の各横列には、異なるチャンネルについてのテレビ番組リスト項目がある。グリッド内の縦列は、一連の放送予定時間に対応する。ユーザは、スクロールアップまたはスクロールダウンして異なるチャンネルについての番組リスト項目を見ることもしくは左右に移動して異なる時間に放送される番組に関する情報を見ることができる。
【００１８】
　
ユーザが番組ガイド機能にアクセスしたいと所望する場合、ユーザは、リモートコントロール４０上の「メニュー」キーまたは所望の機能に相当する適切なキーを用い得る。例えば、ユーザが番組情報を見たいと希望する場合、リモートコントロール４０上の「ガイド」キーが用いられ得る。
【００１９】
　図３は、ユーザテレビ機器２２（図２）をより一般化した実施形態を示す。図３に示すように、テレビ配信設備１６（図１）からの番組リスト項目、番組および番組に関連付けられた番組データ（以下、「関連番組データ」と呼ぶ）は、ユーザテレビ機器２２の制御回路４２により受信される。映像信号は典型的には、複数のテレビチャンネルに提供される。関連番組データおよび番組リスト項目の提供は、テレビチャンネル側波帯、テレビチャンネルの垂直帰線消去期間、帯域内デジタルチャンネルを用いて、帯域外デジタル信号を用いて、または他のあらゆる適切なデータ送信技術を用いて為され得る。
【００２０】
　ユーザは、ユーザ入力インターフェース４６を用いてユーザテレビ機器２２の動作を操作する。ユーザ入力インターフェース４６は、ポインティングデバイス、無線リモートコントロール、キーボード、タッチパッド、音声認識システム、または他のあらゆる適切なユーザ入力デバイスであり得る。テレビを見る際、ユーザは、制御回路４２に所望のテレビ番組をモニタ４５上に表示するように命令する。
番組ガイド機能にアクセスする際、ユーザは、ユーザテレビ機器２２にインプリメントされる番組ガイドに対して、モニタ４５上に表示されるメインメニューまたは所望の番組ガイド表示画面を生成するように命令する。
【００２１】
　制御回路４２の機能は、図２のセットトップボックス構成を用いて提供され得る。あるいは、これらの機能は、高度なテレビ受信器、パーソナルコンピュータテレビ（ＰＣ／ＴＶ）、または他のあらゆる適切な構成に組み込まれ得る。所望ならば、このような構成の組み合せが用いられ得る。
【００２４】
　
ユーザが（例えば、メインメニュー画面５０から番組リスト項目オプション４８を選択することまたはリモートコントロール４０上の「ガイド」キーを用いることにより）テレビ番組情報を見たい旨を示すと、番組ガイドは、モニタ４５に表示される適切な番組リスト項目画面を生成する。番組リスト項目画面は、複数の分類規準（例えば、番組タイプ別、テーマ別、もしくは他のあらゆる事前に規定された基準またはユーザが規定した基準および選択可能な基準等）に従って分類され、様々な様式（例えば、アルファベット順等）で選別された１つ以上の番組リストを含み得る。番組リスト項目画面は、ユーザが視聴している番組上にオーバーレイされ得るか、または、その番組の一部の上に「ブラウズ」モードでオーバーレイされ得る。
【００２５】
　
１つのアプローチとして、番組リスト項目を番組リスト項目グリッドに分類する方式がある。図５ａは、例示的番組リスト項目グリッド６０を示す。番組リスト項目グリッド６０は、番組リスト項目の横列６２、６４、６６、および６８を有する。
【００３２】
　
別の実施形態において、番組ガイドはまた、デジタル格納デバイス４９に任意の形式のリスト、表またはグリッドで現在格納されている選択可能な番組リスト項目も提供し得る。リスト項目は、選択可能な分類基準に従って分類され得、選別され得る。１つのアプローチとして、図５ｂに示すように番組リスト項目グリッドを用いる方式がある。これは、例えば番組リスト項目グリッド１４１の横列１４５を用いて現在格納されている番組を示して、デジタル格納デバイス４９を別のチャンネルのように取り扱うことにより、実施可能である。複数の横列が、分類基準（例えば、テーマ別、番組タイプ別、もしくは事前に規定されたまたはユーザが規定した選択可能な他の分類基準）に従ってリスト項目を分類するために用いられ得る。リスト項目は、各横列毎に選別され得る（例えば、アルファベット順等）。
【００３３】
　
横列１４５の異なる縦列１４７内の各エントリは、デジタル格納デバイス４９に格納された異なる映画に対応し得る。
【００５１】
　
ユーザが現在ロードされている格納媒体のディレクトリ情報を見たい旨を示すと、番組ガイドは、デジタル格納デバイス４９からディレクトリ情報を入手し、モニタ４５に表示されるディレクトリリスト項目画面を生成する。
ディレクトリリスト項目画面９０は、例えば、録画領域名と、現在ロードされている格納媒体に残っている利用可能時間とを示し得る。
【００５２】
　ディレクトリリスト項目グリッド９１は、デジタル格納デバイス４９に格納されているエントリに関する情報を含み得る。この情報は、媒体に格納されているディレクトリ情報全てを含み得、現在の視聴者選好（これについては後述する）に従って提示され得る。この情報は、例えば、タイトル、チャンネル、録画日、録画時間およびエントリの継続時間を含み得る。この情報はまた、エントリが視聴されたことがあるかどうかについての表示も含み得る。ディレクトリリスト項目画面９０のディレクトリ情報はデジタルに格納されるため、この情報は概して高速で（例えば、瞬時に）アクセスされ得る。この高速アクセス能力によって、ディレクトリ機能は、格納されているエントリの状況を素早く確認できるよう使い易くなる。これは、アナログ格納デバイス（例えば、標準的なビデオカセットレコーダ等）を用いている場合は不可能である。
【００６４】
　
番組ガイドはまた、ユーザが「スーパー番組」を定義することも可能にする。スーパー番組は、番組ガイドが規定された順番で連続的に再生する、一連の番組または番組セグメントである。
【００６５】
　
番組ガイドはまた、スーパー番組を命名し、命名したスーパー番組をデジタル格納デバイス４９に格納する能力もユーザに提供し得る。命名されたスーパー番組に関するエントリは、デジタル格納デバイス４９内に保持されているディレクトリ内に保管され得、番組リスト項目に関するディレクトリエントリと共に、ディレクトリエントリをリスト化する画面（例えば、ディレクトリリスト項目画面９０）内に表示され得る。
【００６６】
　
ユーザが命名されたスーパー番組を選択するのに応答して、番組ガイドは、モニタ４５に表示されるスーパー番組画面を生成し得る。
【００６７】
　ユーザがスーパー番組を定義したい旨を示すと、番組ガイドは、モニタ４５上に表示されるスーパー番組画面を生成する。図１２ａおよび１２ｂは、例示的スーパー番組画面１３０を示す。
【００６８】
　スーパー番組１３０は、３つの領域に分類される。
領域１３１は、デジタル格納デバイス４９（または現在ロードされている、デジタル格納デバイス４９のデジタル格納媒体）に格納されている選択物を示す。領域１３２は、スーパー番組のシーケンスを示す。映像フィードバック領域１３７は、スーパ番組に含まれる番組の一部を表示する。
【００７０】
　
スーパー番組を定義する際、ユーザは、スーパー番組シーケンスに含めたい番組を示す。番組ガイドはまた、以前に定義された他のスーパー番組を現在のスーパー番組に含める能力もユーザに提供し得る。
ｂ．刊行物３に記載される技術
　刊行物３の段落【０００３】，【００１８】ないし【００２１】，【００２５】によれば、刊行物３には、『ユーザがリモコンを用いてテレビ番組リスト項目をナビゲートすることを可能にする双方向テレビ番組ガイドであり、テレビリスト項目は、複数の分類基準に従ってリスト項目の一部に分類されて選別されるものであり、例えば、番組リスト項目を番組リスト項目グリッドに分類し、グリッド内の各横列には、異なるチャンネルについてのテレビ番組リスト項目があり、グリッド内の縦列は、一連の放送予定時間に対応する双方向テレビ番組ガイド』の技術が記載されており、段落【００２４】，【００３２】，【００３３】，【００５１】，【００５２】によれば、『ユーザが、メインメニュー画面から番組リスト項目オプションを選択すると、複数の分類規準（番組タイプ別、テーマ別等）に従って分類された１つ以上の番組リストを含む番組リスト項目画面を表示する』技術が記載されている。
　また、刊行物３の段落【００６４】ないし【００６７】，【００７０】によれば、刊行物３には、『番組ガイドは、規定された順番で連続的に再生する一連の番組または番組セグメントである「スーパー番組」をユーザが定義することを可能とし、ユーザが命名されたスーパー番組を選択するのに応答して、番組ガイドは、スーパー番組画面を表示し、スーパー番組を定義する際に、ユーザはスーパー番組シーケンスに含めたい番組を指定する』技術が記載されている。
（４）刊行物４
　刊行物４には、共に次に掲げる事項が記載されている。
「【項目】物事を或る基準で区分した一つ一つ。」
（５）刊行物５
ａ．刊行物５の記載事項
　刊行物５には、図面と共に次に掲げる事項が記載されている。
【００３４】本発明の個人用番組ガイド機能によれば、視聴者が特別の興味を持つ具体的テレビ番組の表示を見ることができる個人用番組ガイドが提供される。個人用番組ガイドは、テレビスクリーンに表示され、視聴者が制御することができる。
【００３５】個人用番組ガイドは、視聴可能な番組の全範囲を視聴者プロファイル中に存在する視聴者の好き嫌いと比較することにより、視聴者が最も興味を有する番組を選択し表示する。この視聴者プロファイルには、公開されるべきテレビ番組の個人化され、フィルタが掛けられた視聴を可能とするため、毎日の全テレビ番組予定表に釣合ったキーワード（例えば、番組名、主題、男優／女優、スポーツチーム）が含まれている。
【００３６】個人用番組ガイドは、時間について、視聴者の好き嫌いの変更を反映することができ、望みであれば、全ての番組予定表を視聴することができるように、調整なしとすることもできる。大体の家庭には、１人以上の視聴者が存在しているので、複数の個人用番組ガイドを提供してもよい。
【００３８】図１７は、特定の視聴者のための個人用番組ガイドを開発するための、ケーブル制御器２０の動作を説明する。個人用番組ガイド機能は、視聴者が以下のことをできる主メニューを表示する。
（１）　自分の個人用番組ガイドを見ること。
（２）　自分の個人用「好き」リストを更新すること。
（３）　自分の個人用「嫌い」リストを更新すること。
（４）　自分のガイドを削除すること。
ｂ．刊行物５に記載される技術
　刊行物５の段落【００３４】ないし【００３６】，【００３８】によれば、刊行物５には、『視聴者が特別の興味を持つ具体的テレビ番組を表示する個人用番組ガイドであって、個人用番組ガイドは、視聴者プロファイル中に存在する視聴者の好き嫌いと比較することにより、視聴者が最も興味を有する番組を選択し表示するものであり、自分の個人用「好き」リスト、「嫌い」リストを更新することを可能とする』技術が記載されている。
５．判断
（１）特許法第２９条第１項第３号について
ａ．本件発明１について
（ａ）本件発明１
　本件発明１は、上記２．に示した請求項１に係る発明であるが、ここに再掲する。
（本件発明１）
（Ａ）双方向メディアガイダンスアプリケーションにおいて複数のグループのメディアを提供する方法であって、前記方法は、
（Ｂ）プロセッサが、
（Ｂ−１）メディア項目の１以上のユーザ選択を受信することと、
（Ｂ−２）前記ユーザ選択されたメディア項目を含むメディアグループを定義することと、
（Ｂ−３）双方向要素を前記定義されたメディアグループに関連付けることと、
（Ｂ−４）複数の行を含むメディア項目グリッドを表示のために生成することであって、前記複数の行は、複数のメディア項目を含む、ことと
　を含み、
（Ｃ）第１の行は、メディア供給源に関連付けられ、かつ、前記メディア供給源から利用可能なメディアアセットの項目を含み、
　第２の行は、前記定義されたメディアグループに関連付けられ、かつ、前記双方向要素を含む、
（Ａ’）方法。
　なお、（Ａ）ないし（Ｃ）の符号は、説明のために当審にて付したものであり、以下、「構成（Ａ）」等として引用する。
（ｂ）本件発明１と刊行物１発明との対比
ア．本件発明１の構成（Ａ），（Ａ’）と刊行物１発明の構成（ａ），（ａ’）との対比
　刊行物１発明の「プログラムガイド」について検討すると、構成（ｃ）にあるように、「プログラムガイド」の「主メニュー」には「プログラムソースに対応するプログラム」を示す「区画」があり、一般的なプログラムガイドでは、プログラムを示す区画を選択するとそのプログラムが表示されるものであるから、「プログラムガイド」は双方向のユーザインターフェースである。また、「プログラムソースに対応するプログラム」は『メディア』といえる。
　よって、刊行物１発明の「プログラムガイド」は、双方向のメディアガイドであり、マイクロプロセッサの制御により表示されるものであるからアプリケーションであるといえる。
　また、構成（ｄ）にあるように、「プログラムガイド」の「ナビゲーションメニュー」は、「ニュース、スポーツ、映画等のカテゴリーのリストを表示するもの」であり、構成（ｅ）にあるように、「選択されたカテゴリーに対応したイベントだけを含むプログラムガイドを生成して表示する」から、生成されたプログラムガイドは、カテゴリーに対応するプログラムを提供するものである。
　ここで、「ニュース、スポーツ、映画等のカテゴリー」はプログラムに関する『複数のグループ』といえ、「プログラム」は『メディア』である。
　よって、刊行物１発明の「プログラムガイド」は、『複数のグループのメディアを提供する』機能を有している。
　以上のことから、刊行物１発明の「プログラムガイドを表示する方法」は、『双方向メディアガイダンスアプリケーションにおいて複数のグループのメディアを提供する方法』といえるので、本件発明１の構成（Ａ），（Ａ’）と相違しない。
イ．本件発明１の構成（Ｂ），（Ｂ−１），（Ｂ−２）について
　刊行物１発明は、プロセッサの制御により、プログラムのユーザ選択を受信し、選択したプログラムを含ませてニュース、スポーツ、映画等のカテゴリーを定義するようなことは行っていないことから、本件発明１とは、構成（Ｂ），（Ｂ−１），（Ｂ−２）を有していない点で相違する。
ウ．本件発明１の構成（Ｂ），（Ｂ−３）について
　まず、本件発明１の構成（Ｂ−３）の「双方向要素」について確認すると、本件特許明細書の
「画面７００は、ユーザの選択に利用可能なチャンネルグループを示す対話型要素７１０を示す。」（段落【００８３】）、
「チャンネルグループ名を示す対話型要素８１０は、同様に、ユーザによって選択され、選択されたチャンネルグループに関する情報（例えば、チャンネルグループの説明）を表示してもよい。例えば、カーソル８０１によってハイライトされたスポーツチャンネルグループに関する情報は、ユーザが、ユーザ入力装置上の選択キー４１２を押下すると、オーバーレイ８５０内に表示されてもよい。」（段落【００８４】）、
「カーソル７０１は、画面７００に表示されてもよく、ユーザによって、ユーザ入力装置４００と連動して使用され、ディスプレイ画面の対話型要素をハイライトしてもよい。例えば、カーソル７０１は、ユーザによって使用され、双方向チャンネルグループ要素７１０の１つをハイライトしてもよい。」（段落【００８５】）、
「画面９００は、メディアチャンネルと一緒に、番組リスト領域内にチャンネルグループが表示されるディスプレイを示す。例えば、双方向チャンネルグループ要素９１０は、番組リストグリッド９５０の上部に表示されてもよい。」（段落【０１００】）
の記載によれば、「双方向要素」は、明細書の「対話型要素７１０」、「対話型要素８１０」、「双方向チャンネルグループ要素７１０」、「双方向チャンネルグループ要素９１０」に対応するものといえる。
　そして、この「対話型要素（双方向チャンネルグループ要素）」は、カーソルによってハイライトされて選択されると、それに応答した動作が実行されるものである。
　一方、刊行物１発明は、構成（ｄ）にあるように、「ナビゲーションメニュー」に「ニュース、スポーツ、映画等のカテゴリーのリスト」を表示するが、構成（ｅ）にあるように、そのカテゴリーの選択は、「ＩＲリモコン」に設けられた「“ニュース”キー、“スポーツ”キー、“映画”キー等」により行われるものであって、「ナビゲーションメニュー」に表示された「ニュース、スポーツ、映画等のカテゴリー」をカーソルなどで選択するものではないことから、「ニュース、スポーツ、映画等のカテゴリー」、すなわち『メディアグループ』を「双方向要素」に関連付けるものとはいえない。
　したがって、刊行物１発明は、本件発明１とは、構成（Ｂ），（Ｂ−３）を有していない点で相違する。
エ．本件発明１の構成（Ｂ），（Ｂ−４）と刊行物１発明の構成（ｃ）との対比
　刊行物１発明の「プログラムガイドの主メニュー」は、「プログラムソースと、そのプログラムソースに対応するプログラムを示す多数の区画を含む複数の行からなり、各行の第１の区画はプログラムソースとそのソースに関連するチャンネル番号」を示すものであり、「プログラムソース」は『メディア供給源』であり、「プログラムソースに対応するプログラム」の「区画」は『メディア項目』である。
　そして、「プログラムガイドの主メニュー」は、複数の行と各行にプログラムソースとプログラムを示す複数の区画を有しているから、『メディア項目グリッド』といえる。
　さらに、「プログラムガイドの主メニュー」は、マイクロプロセッサの制御により表示されるものである。
　よって、刊行物１発明は、『マイクロプロセッサが、複数の行を有するメディア項目のグリッドであるプログラムガイドの主メニューを生成して表示し、複数の行にはメディア項目であるプログラムが含まれる』ものであるから、本件発明１の構成（Ｂ），（Ｂ−４）を備えている。
オ．本件発明１の構成（Ｃ）と刊行物１発明の構成（ｃ），（ｄ）との対比
　刊行物１発明の「プログラムガイドの主メニュー」は、上記エ．においても検討したように、「プログラムソースと、そのプログラムソースに対応するプログラムを示す多数の区画を含む複数の行」からなり、複数の行の各行が、「プログラムソース」、すなわち『メディア供給源』に関連付けられたものである。
　そして、「プログラムソースに対応するプログラムを示す多数の区画」は、『メディア供給源から利用可能なメディアアセットの項目』といえるから、刊行物１発明は、『複数の行の各行は、メディア供給源に関連付けられ、かつ、前記メディア供給源から利用可能なメディアアセットの項目を含む』ものといえる。
　刊行物１発明の「ナビゲーションメニュー」は、「ニュース、スポーツ、映画等のカテゴリーのリスト」を表示するものであるから、『メディアグループ』に関連付けられたものである。
　ただし、上記イ．において検討したように、刊行物１発明の「ニュース、スポーツ、映画等のカテゴリー」は定義されたものではなく、上記ウ．において検討したように、双方向要素を含むものではない。
　また、「ナビゲーションメニュー」は、「ドロップダウンメニューとして現れて表示」されるものであって、「プログラムガイドの主メニューの一部分を書換えた部分」である。
　この「ナビゲーションメニュー」は、「プログラムガイドの主メニュー」の一部を覆い隠すものであり、主メニューにおける複数の行のいずれかの行に置き換わって主メニューの行の構成要素となるものではない。
　さらに、「ナビゲーションメニュー」が表示されている場合には、主メニューにおける複数の行の一部が見えない状態にあり、その際に、主メニューの見えている行のみを操作可能とすることは、技術常識として合理的でなく、主メニューの機能は停止されると想定されることからも、「ナビゲーションメニュー」が、主メニューの行の一部を構成するものではないといえる。
　したがって、刊行物１発明は、「プログラムガイドの主メニュー」が、『複数の行の各行は、メディア供給源に関連付けられ、かつ、前記メディア供給源から利用可能なメディアアセットの項目を含む』ものといえるものの、「ナビゲーションメニュー」が「プログラムガイドの主メニュー」の複数の行の一部の行となるものではないから、本件発明１とは、構成（Ｃ）を有していない点で相違する。
カ．まとめ
　以上の対比結果をまとめると、本件発明１と刊行物１発明との［一致点］と［相違点］は以下のとおりである。
［一致点］
　双方向メディアガイダンスアプリケーションにおいて複数のグループのメディアを提供する方法であって、前記方法は、
　プロセッサが、
　複数の行を含むメディア項目グリッドを表示のために生成することであって、前記複数の行は、複数のメディア項目を含む、ことと
　を含む、方法。
［相違点］
（相違点１）
　刊行物１発明は、本件発明１の「プロセッサが、メディア項目の１以上のユーザ選択を受信することと、前記ユーザ選択されたメディア項目を含むメディアグループを定義することと、を含み、」という構成を有していない点。
（相違点２）
　刊行物１発明は、本件発明１の「プロセッサが、双方向要素を前記定義されたメディアグループに関連付けることと、を含み」という構成を有していない点。
（相違点３）
　刊行物１発明は、本件発明１の「第１の行は、メディア供給源に関連付けられ、かつ、前記メディア供給源から利用可能なメディアアセットの項目を含み、第２の行は、前記定義されたメディアグループに関連付けられ、かつ、前記双方向要素を含む」という構成を有していない点。
（ｃ）小括
　以上のとおり、本件発明１は刊行物１発明との相違点を有しているものであるから、刊行物１に記載された発明であるとはいえず、特許法第２９条第１項第３号の規定に該当しない。
ｂ．本件発明２，３，１３，１４，１５，１７，２６について
　本件発明２，３，１３は、本件発明１を引用する発明であり、本件発明１４は、本件発明１の方法の発明に対応するシステムの発明であって、本件発明１に対応する構成を備えるものであり、本件発明１５，１７，２６は、本件発明１４を引用する発明であるから、本件発明２，３，１３，１４，１５，１７，２６は、少なくとも上記相違点１ないし３に係る構成を有している発明である。
　したがって、本件発明２，３，１３，１４，１５，１７，２６は、本件発明１と同様、刊行物１に記載された発明であるとはいえず、特許法第２９条第１項第３号の規定に該当しない。
（２）特許法第２９条第２項について
ａ．本件発明１について
（ａ）相違点の判断
　上記ａ．（ｂ）において摘示した［相違点］のうち（相違点３）について、以下に検討する。
　刊行物２には、上記４．（２）ｂ．に示したように、『ユーザが番組ガイドオプションのうちの番組カテゴリなどに従って分類された番組リスト項目のグループを選択すると、グループの番組カテゴリ（コメディ、映画など）上部に表示し、そのグループに含まれる番組リスト項目を番組カテゴリの下部に表示する技術』が記載されているものの、グループの番組カテゴリの下部に表示されるのは、そのグループに含まれる番組リスト項目であり、刊行物２に記載される技術は、グループに関する項目を表示する行と、メディア供給源に関連する項目を表示する行を並べて表示するものではなく、相違点３に係る構成に対応したものではない。
　また、刊行物３ないし５にも相違点３に係る構成に対応した技術事項は記載されておらず、当該構成が周知の技術ではないことから、刊行物１発明において、相違点３に係る構成を導き出すことは、当業者が容易に想到し得ることではない。
　よって、本件発明１は、当業者が少なくとも相違点３に係る構成を容易に導き出すことはできないから、刊行物１に記載された発明、及び刊行物２ないし５に記載された技術事項から、当業者が容易になし得るものとはいえない。
（ｂ）小括
　以上のとおり、本件発明１は、刊行物１に記載された発明、及び刊行物２ないし５に記載された技術事項に基いて、当業者が容易に発明をすることができたものとはいえず、特許法第２９条第２項の規定に該当しない。
ｂ．本件発明２ないし２６について
　本件発明２ないし１３は、本件発明１を引用する発明であり、本件発明１４は、本件発明１の方法の発明に対応するシステムの発明であって、本件発明１に対応する構成を備えるものであり、本件発明１５ないし２６は、本件発明１４を引用する発明であるから、本件発明２ないし２６は、少なくとも上記相違点３に係る構成を有している発明である。
　したがって、本件発明２ないし２６は、本件発明１と同様、刊行物１に記載された発明、及び刊行物２ないし５に記載された技術事項に基いて、当業者が容易に発明をすることができたものとはいえず、特許法第２９条第２項の規定に該当しない。
６．むすび
　以上のとおり、特許異議申立ての理由及び証拠によっては、本件請求項１ないし２６に係る特許を取り消すことはできない。
　また、他に本件請求項１ないし２６に係る特許を取り消すべき理由を発見しない。
　よって、結論のとおり決定する。
【異議決定日】
平成２９年３月７日（２０１７．３．７）